(57)【特許請求の範囲】
【請求項１】
サーバからネットワークを介して携帯電話に送信され、前記携帯電話によって実行されるコンピュータプログラムであって、前記携帯電話はタッチパネルを有しており、
本コンピュータプログラムは、
所定のコンテンツを含む画面を前記タッチパネルに表示させる機能と、
前記画面に広告表示領域を、前記所定のコンテンツの少なくとも一部が前記広告表示領域によって隠されるように、含める機能と、を前記携帯電話に実現させ、
前記広告表示領域に対しては、前記広告表示領域に関連したリンクを指定するための前記タッチパネル上での第１動作と、前記第１動作とは異なる第２動作と、が規定されており、
本コンピュータプログラムはさらに、
前記タッチパネル上での前記第２動作が検出された場合、前記広告表示領域の表示を制限する機能を前記携帯電話に実現させ、
前記第１動作は前記広告表示領域に対するタップ動作またはロングタッチ動作であり、
前記第２動作は前記広告表示領域に対するフリック動作またはスライド動作であり、
前記制限する機能は、前記所定のコンテンツに対して前記広告表示領域を前記第２動作の方向に沿って移動させることにより前記広告表示領域を非表示とする機能を含み、
前記広告表示領域が非表示となった後、前記タッチパネルには、前記広告表示領域によって隠されていた前記所定のコンテンツの少なくとも一部が表示されることを特徴とするコンピュータプログラム。
【請求項２】
非表示とされた前記広告表示領域を、非表示とされてから所定の期間が経過した後再度タッチパネルに表示させる機能をさらに前記携帯電話に実現させることを特徴とする請求項１に記載のコンピュータプログラム。
【発明の詳細な説明】
【技術分野】
【０００１】
本発明は、サーバからネットワークを介して携帯電話に送信され、携帯電話によって実行されるコンピュータプログラムに関する。
【背景技術】
【０００２】
特許文献１には、移動可能な端末装置に対して広告情報を配信するシステムが開示されている。
【先行技術文献】
【特許文献】
【０００３】
【特許文献１】特開２００８−３１０６２０号公報
【非特許文献】
【０００４】
【非特許文献１】［online］、インターネット＜URL：http://www.au.kddi.com/manual/sh006/misc/misc01.html＞
【発明の概要】
【発明が解決しようとする課題】
【０００５】
一般に、携帯電話のタッチパネルに表示される情報のうち広告に関する情報は、本来ユーザが見たいと思っている情報ではない。しかしながら、情報の提供者は広告を配信することによる対価すなわち広告収入を得ていることが多く、広告を配信しないわけにはいかない。
【０００６】
本発明はこうした課題に鑑みてなされたものであり、その目的は、携帯電話へ広告が配信されることによってユーザが感じる不満を軽減できる技術の提供にある。
【課題を解決するための手段】
【０００７】
本発明のある態様はコンピュータプログラムに関する。このコンピュータプログラムは、サーバからネットワークを介して携帯電話に送信され、携帯電話によって実行されるコンピュータプログラムであって、携帯電話はタッチパネルを有しており、本コンピュータプログラムは、所定のコンテンツを含む画面をタッチパネルに表示させる機能と、画面に広告表示領域を含める機能と、を携帯電話に実現させ、広告表示領域に対しては、広告表示領域に関連したリンクを指定するためのタッチパネル上での第１動作と、第１動作とは異なる第２動作と、が規定されており、本コンピュータプログラムはさらに、タッチパネル上での第２動作が検出された場合、広告表示領域の表示を制限する機能を携帯電話に実現させる。
【０００８】
なお、以上の構成要素の任意の組み合わせや、本発明の構成要素や表現をコンピュータプログラム、コンピュータプログラムを格納した記録媒体などの間で相互に置換したものもまた、本発明の態様として有効である。
【図面の簡単な説明】
【０００９】
【図１】実施の形態に係るコンピュータプログラムを実行する携帯電話を示す模式図である。
【発明を実施するための形態】
【００１０】
以下、各図面に示される同一または同等の構成要素、部材、処理には、同一の符号を付するものとし、適宜重複した説明は省略する。
【００１１】
実施の形態に係るコンピュータプログラムは、サーバからインターネットなどのネットワークを介して携帯電話に送信され、携帯電話によって実行されるコンピュータプログラムである。携帯電話はいわゆるスマートホンなどであってもよく、タッチパネル、通話機能およびＷｅｂ通信機能を有し、ウェブブラウザを有していてもよい。
【００１２】
本実施の形態に係るコンピュータプログラムは、例えばインターネット上のスマートホン用アプリケーションダウンロードサイトからダウンロードされるスマートホン用のアプリケーションプログラムであってもよく、あるいはまた、サーバから携帯電話のウェブブラウザにネットワークを介して送信され、そのウェブブラウザによって実行される、ＨＴＭＬ（HyperText Markup Language）などのプログラミング言語により記述されたコンピュータプログラムであってもよい。
【００１３】
図１は、本実施の形態に係るコンピュータプログラムを実行する携帯電話１０を示す模式図である。携帯電話１０は、タッチパネル２５と、電源ボタンなどの複数のボタンと、を備える。
【００１４】
携帯電話１０は、本実施の形態に係るコンピュータプログラムを実行することにより以下の３つの機能を実現する。
【００１５】
機能１：タッチパネル２５に所定のコンテンツを含む画面を表示させる機能。コンテンツは例えば運勢、株価、ニュース等インターネットを介して伝達されうる情報であればよい。図１ではタッチパネル２５に今日の運勢を示す画面が表示されている。所定のコンテンツを含む画面をインターネットを介して提供する提供者は、その画面に広告を含めることにより広告主から広告収入を得ている。
【００１６】
機能２：所定のコンテンツを含む画面に広告表示領域１２を含める機能。広告表示領域１２は例えばバナーであり広告主のウェブサイトへのハイパーリンクなどのリンクを含む。
【００１７】
本実施の形態に係るコンピュータプログラムは、広告表示領域１２に対して規定された以下の２つの動作を検知可能に構成される。
【００１８】
（１）広告表示領域１２に関連したリンクを指定するためのタッチパネル２５上でのリンク指定動作。リンク指定動作は例えばタップ動作やロングタッチ動作であってもよい。携帯電話１０のタッチパネル２５上での各種の動作については例えば非特許文献１に記載されている。
（２）リンク指定動作とは異なる制限動作。制限動作は例えばフリック動作またはスライド動作である。制限動作により広告表示領域１２の表示が制限される。
【００１９】
機能３：上記（２）に関連し、タッチパネル２５上での制限動作が検出された場合、広告表示領域１２の表示を制限する機能。例えば、広告表示領域１２は非表示とされてもよい。より具体的には、タッチパネル２５上で広告表示領域１２に対するフリック動作２３が検出されると（図１の左の状態）、広告表示領域１２はそのフリック動作の方向すなわちフリック動作により定義される方向に沿ってタッチパネル２５の表示領域外に向けて移動し（図１の中央の状態）、タッチパネル２５の表示領域から広告表示領域１２が消える（図１の右の状態）。広告表示領域１２が消えたあとの領域には、広告表示領域１２が無ければ表示されていたであろう情報が表示される。例えば、文章の一部が広告表示領域１２によって「隠されていた」のであれば、その隠されていた一部が表示され、携帯電話１０のユーザは文章全体を読むことができる。
【００２０】
一般に、携帯電話１０のタッチパネル２５は例えばデスクトップ型ＰＣのディスプレイと比較すると小さい。したがって、タッチパネル２５に一度に表示できる内容は比較的限られている。
【００２１】
ところで、近年のスマートホンの急速な普及に目を付け、スマートホンに広告を配信する企業が多くなってきている。そのような企業は、スマートホンに広告を表示させるときにその広告が小さくなることを嫌う。広告効果が薄れうるからである。したがって、コンテンツの提供者は、コンテンツを含む画面に占める広告表示領域の割合を増やす傾向にある。
【００２２】
すなわち、従来の携帯電話で実行されるコンピュータプログラムでは、タッチパネルのうち広告のために割かれる領域の割合は比較的高くなる傾向にある。
【００２３】
携帯電話のユーザにとっては、そのような比較的大きな広告はコンテンツを見る際に邪魔になることが多い。また、操作ミス等によりそのような広告に触れて画面遷移してしまうこともあり、いらいらが募ることとなる。しかしながら、コンテンツの提供者は広告主から広告収入を得ているので、最初から広告を表示しないという選択肢はない。
【００２４】
そこで、本実施の形態に係るコンピュータプログラムによると、一度広告を表示させた後、ユーザの操作により簡単に広告の表示を制限できる。したがって、広告を表示させつつ、ユーザのいらいらを軽減し、プログラムをより使いやすくすることができる。
【００２５】
また、そのように使いやすいアプリケーションはより多くダウンロードされる傾向にあるので、その分広告効果も上がる。特にこの広告効果の増分は、広告の表示が制限されることによるデメリットを上回ると考えられる。
【００２６】
以上、実施の形態に係るコンピュータプログラムについて説明した。この実施の形態は例示であり、その各構成要素や各処理の組み合わせにいろいろな変形例が可能なこと、またそうした変形例も本発明の範囲にあることは当業者に理解されるところである。
【００２７】
非表示とされた広告表示領域１２を、非表示とされてから所定の期間が経過した後再度タッチパネル２５に表示させてもよい。この場合、広告効果を維持しやすくなる。
【要約】
【課題】携帯電話へ広告が配信されることによってユーザが感じる不都合を軽減する。
【解決手段】コンピュータプログラムは、サーバからネットワークを介して携帯電話１０に送信され、携帯電話１０によって実行されるコンピュータプログラムである。携帯電話１０はタッチパネル２５を有する。コンピュータプログラムは、所定のコンテンツを含む画面をタッチパネル２５に表示させる機能と、画面に広告表示領域１２を含める機能と、を携帯電話１０に実現させる。広告表示領域１２に対しては、広告表示領域１２に関連したリンクを指定するためのタッチパネル２５上での第１動作と、第１動作とは異なる第２動作と、が規定されている。コンピュータプログラムはさらに、タッチパネル２５上での第２動作が検出された場合、広告表示領域１２の表示を制限する機能を携帯電話２５に実現させる。
【選択図】図１【図１】
0005180383.tif 000002